(57)【要約】【課題】  ロック操作およびロック解除操作が容易にできるスイッチ装置を提供する。【解決手段】  腕時計ケース１の貫通孔１２に挿入される操作軸部２４および外端部の操作頭部２３を有する操作部材８の軸方向への移動をロックするロック部材９と、このロック部材９によるロックを解除するためのばね部材１０とを備え、ロック部材９は、腕時計ケース１に対して回転可能に取り付けられた回転軸部３０と、操作部材８に設けられたロック溝３１に挿脱可能に挿入するフック部３２と、操作部材８に設けられた複数の解除溝３３のいずれかに挿脱可能に挿入してフック部３２によるロックを解除する解除部３４と、を有している。従って、操作部材８を回転操作するだけで、フック部３２をロック溝３１から離脱させてロックを解除することができ、また操作部材８を押し込むだけで、フック部３２をロック溝３１に挿入させてロックすることができる。【選択図】        図２
2014115218.tif 000002
【特許請求の範囲】
【請求項１】
貫通孔を有するケースと、
このケースの前記貫通孔に挿入される軸部および外端部の操作部を有する操作部材と、
この操作部材の軸方向への移動を阻止するために、前記操作部材をロックするロック部材と、
このロック部材によりロックしている状態を、解除する方向に前記ロック部材を付勢する付勢部材と
を備え、
前記ロック部材は、前記ケースに対して回転可能に取り付けられた回転軸部と、この回転軸部に設けられ、かつ前記操作部材に環状に設けられたロック溝に挿入して前記操作部材の軸方向への移動を阻止するフック部と、前記回転軸部に設けられ、かつ前記操作部材の所定個所に設けられた解除溝に挿入した際に前記付勢部材の付勢力によって前記フック部によりロックしている状態を解除する解除部と、を有していることを特徴とするスイッチ装置。
【請求項２】
請求項１に記載のスイッチ装置において、前記ロック部材の前記回転軸部は、前記操作部材の軸方向に対して直交する方向に設けられた支持軸と、この支持軸に回転可能に取り付けられた回転アーム部とを有し、前記フック部は前記回転アーム部の一端部に設けられて前記操作部材の軸方向に対して直交する方向に沿って変位し、前記解除部は前記回転アーム部の他端部に設けられて前記操作部材の軸方向に対して直交する方向に沿って変位することを特徴とするスイッチ装置。
【請求項３】
請求項１に記載のスイッチ装置において、前記ロック部材の前記回転軸部は前記操作部材の軸方向に沿って回転可能に設けられ、前記フック部は前記回転軸部の一端部に前記操作部の外周に沿う方向に向けて突出して設けられ、かつ前記操作部材の軸方向に対して直交する方向に沿って回転移動し、前記解除部は前記回転軸部の他端部に前記フック部と反対方向に向けて突出して設けられ、かつ前記操作部材の軸方向に対して直交する方向に沿って回転移動することを特徴とするスイッチ装置。
【請求項４】
請求項１〜請求項３のいずれかに記載のスイッチ装置において、前記操作部材が軸方向に沿って移動する際に、前記操作部を回転させて、前記ロック部材の前記解除部に対応している前記操作部材の前記解除溝の位置をずらすための逃がしガイド部を備えていることを特徴とするスイッチ装置。
【請求項５】
請求項１〜請求項４のいずれかに記載のスイッチ装置において、前記操作部材の回転操作に応じて予め定められた角度ごとにクリック感を付与するクリック感付与部材を備えていることを特徴とするスイッチ装置。
【請求項６】
請求項１〜請求項５のいずれかに記載のスイッチ装置を備えた時計。
【請求項７】
ケースの貫通孔に挿入される軸部および外端部の操作部を有する操作部材の軸方向への移動を阻止するために、前記ケースに対して回転可能に取り付けられたロック部材のフック部によりロックしている状態から解除する方向に、付勢部材によって付勢された前記フック部を前記操作部材にロックさせるロック工程と、
前記回転軸部に設けられた解除部が前記操作部材の所定個所に設けられた解除溝に、挿入した際に前記付勢部材の付勢力によって前記フック部によりロックしている状態を解除する解除工程と、
を備えていることを特徴とするスイッチのロック解除方法。
【発明の詳細な説明】
【技術分野】
【０００１】
この発明は、腕時計などの時計に用いられるスイッチ装置、時計、およびスイッチのロック解除方法に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出し、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部に巻真の外端部が取り付けられた構成になっている。この場合、操作部材には、複数の係合凸部を有するリング部材が取り付けられている。また、巻真パイプは、腕時計ケースの貫通孔に取り付けられる小径部と、腕時計ケースの外部に突出する大径部とを有し、この大径部の外周面にリング部材の係合凸部を係脱可能に係止する複数の係止溝部が設けられている。
【０００５】
この場合、複数の係止溝部は、リング部材の係合凸部を巻真パイプの軸方向に移動させて係止溝部から離脱可能に案内する着脱用の案内溝と、リング部材の係合凸部における軸方向への移動を規制してロックするロック溝と、リング部材の係合凸部を案内溝とロック溝とのいずれか一方に導く連続溝とを備えている。
【０００６】
このため、このスイッチ装置では、操作部材をロックする際に、リング部材の係合凸部を案内溝に対応させて押し込み、この状態で操作部材を回転させると、リング部材の係合凸部が案内溝から連続溝を経てロック溝に移動することにより、このロック溝によって係合凸部に対する巻真パイプの軸方向への移動が規制され、これにより操作部材が押し込まれた状態でロックされる。
【０００７】
また、このスイッチ装置では、操作部材のロックを解除して操作部材を引き出す際に、操作部材を押し込みながら回転させることにより、ロック溝内に位置するリング部材の係合凸部をロック溝から連続溝に送り込み、この連続溝に送り込まれた係合凸部が案内溝に移動することにより、ロック溝による係合凸部のロックが解除され、この状態でリング部材の係合凸部を軸方向に移動させて案内溝から離脱させることにより、操作部材が引き出されて時刻修正ができる。
【発明の概要】
【発明が解決しようとする課題】
【０００８】
しかしながら、このようなスイッチ装置では、操作部材をロックする際に、操作部材を押し込みながら回転させて、リング部材の係合凸部を案内溝に対応させなければ、リング部材の係合凸部を案内溝に挿入させることができないばかりか、案内溝に挿入したリング部材の係合凸部を操作部材によって回転移動させなければ、リング部材の係合凸部をロック溝に移動させてロックすることができないため、操作部材のロック操作が煩雑で面倒であり、操作部材の操作性が悪いという問題がある。
【０００９】
また、このスイッチ装置では、操作部材のロックを解除する際に、操作部材を押し込んでリング部材の係合凸部をロック溝から離脱可能な位置に移動させ、この状態で操作部材を回転させなければ、リング部材の係合凸部を連結溝に移動させて案内溝に挿入させることができないため、操作部材のロック解除操作も煩雑で面倒であり、操作部材の操作性が悪いという問題がある。
【００１０】
この発明が解決しようとする課題は、ロック操作およびロック解除操作が容易にできるスイッチ装置、時計、およびスイッチのロック解除方法を提供することである。
【課題を解決するための手段】
【００１１】
この発明は、貫通孔を有するケースと、このケースの前記貫通孔に挿入される軸部および外端部の操作部を有する操作部材と、この操作部材の軸方向への移動を阻止するために、前記操作部材をロックするロック部材と、このロック部材によりロックしている状態を、解除する方向に前記ロック部材を付勢する付勢部材と、を備え、前記ロック部材は、前記ケースに対して回転可能に取り付けられた回転軸部と、この回転軸部に設けられ、かつ前記操作部材に環状に設けられたロック溝に挿入して前記操作部材の軸方向への移動を阻止するフック部と、前記回転軸部に設けられ、かつ前記操作部材の所定個所に設けられた解除溝に挿入した際に前記付勢部材の付勢力によって前記フック部によりロックしている状態を解除する解除部と、を有していることを特徴とするスイッチ装置である。
【発明の効果】
【００１２】
この発明によれば、操作部材を回転操作するだけで、ロック部材の解除部を操作部材の解除溝に対応させることができ、これにより解除部を付勢部材の付勢力によって解除溝に押し込むことができるので、ロック部材のフック部を操作部材のロック溝から離脱させてフック部によるロックを解除することができる。また、操作部材を押し込むだけで、ロック部材の解除部を付勢部材の付勢力に抗して移動させることができるので、ロック部材のフック部を操作部材のロック溝に挿入させてロックすることができる。このため、ロック操作およびロック解除操作が容易にかつ簡単にでき、操作性の向上を図ることができる。
【図面の簡単な説明】
【００１３】
【図１】この発明に係わるスイッチ装置を腕時計に適用した第１実施形態を示した拡大斜視図である。
【図２】図１に示された腕時計のＡ−Ａ矢視における要部を示した拡大断面図である。
【図３】図２に示されたスイッチ装置の操作部材を示した拡大斜視図である。
【図４】図２に示されたスイッチ装置のロック部材を示した拡大斜視図である。
【図５】図２に示されたスイッチ装置の逃がしガイド部において、ベゼルのガイド突起と操作頭部の当接突起との対応関係を示した要部の拡大図である。
【図６】図２示されたスイッチ装置において、操作頭部が回転してロック部材の解除部が操作頭部の解除溝に対応して挿入した状態を示した要部の拡大断面図である。
【図７】図６に示されたスイッチ装置において、操作頭部が巻真のコイルばねのばね力によって腕時計ケースの外部側に押し出された状態を示した要部の拡大断面図である。
【図８】図２に示された第１実施形態のスイッチ装置におけるロック部材のフック部および操作頭部のロック溝の変形例を示した要部の拡大断面図である。
【図９】この発明に係わるスイッチ装置を腕時計に適用した第２実施形態における要部を示した拡大断面図である。
【図１０】図９に示されたスイッチ装置のロック部材を示した拡大斜視図である。
【図１１】図９示されたスイッチ装置において、操作頭部が回転してロック部材の解除部が操作頭部の解除溝に対応して操作部材が押し出された状態を示した要部の拡大断面図である。
【発明を実施するための形態】
【００１４】
（第１実施形態）
以下、図１〜図７を参照して、この発明を腕時計に適用した第１実施形態について説明する。
この腕時計は、図１および図２に示すように、腕時計ケース１を備えている。この腕時計ケース１の上側開口部には、時計ガラス２がパッキン２ａを介して取り付けられている。この腕時計ケース１の下部には、裏蓋３が防水パッキン３ａを介して取り付けられている。
【００１５】
また、この腕時計ケース１の内部には、図２に示すように、時計モジュール４が設けられている。さらに、この腕時計ケース１の３時側に位置する側部には、図１および図２に示すように、スイッチ装置５が設けられている。このスイッチ装置５は、時計モジュール４のモード切替や時刻修正などを行うためのものであり、巻真６、円筒部材７、操作部材８、ロック部材９、およびばね部材１０を備えている。
【００１６】
この場合、腕時計ケース１の３時側に位置する側部の外面には、図１および図２に示すように、ベゼル１１が外部に突出して設けられている。このベゼル１１の下側に位置する腕時計ケース１の側部には、その内部と外部とに貫通する貫通孔１２が設けられている。この貫通孔１２は、図２に示すように、腕時計ケース１の内部側に位置する四角形状の小径孔部１２ａと、腕時計ケース１の外部側に位置する円形状の大径孔部１２ｂとを有し、全体が段差状に形成されている。
【００１７】
この貫通孔１２内には、図２に示すように、スイッチ装置５の円筒部材７が嵌め込まれている。この円筒部材７は、貫通孔１２の小径孔部１２ａ内に装着して腕時計ケース１の内部に突出する小径筒部７ａと、貫通孔１２の大径孔部１２ｂ内に装着して腕時計ケース１の外部に突出する大径筒部７ｂとを備えている。
【００１８】
この円筒部材７の小径筒部７ａは、図２に示すように、貫通孔１２の小径孔部１２ａ内に配置される箇所がほぼ四角形の角筒状に形成されている。これにより、円筒部材７は、小径筒部７ａが貫通孔１２の小径孔部１２ａに装着されることにより、腕時計ケース１に対して回転することなく取り付けられている。
【００１９】
また、この小径筒部７ａは、図２に示すように、腕時計ケース１の内部に突出する箇所が円筒状に形成されている。この小径筒部７ａの円筒状の箇所には、リング取付溝１３が設けられている。このリング取付溝１３には、Ｅリングなどの抜止めリング１４が取り付けられている。これにより、円筒部材７は、抜止めリング１４によって腕時計ケース１の外部に抜け出すことなく、腕時計ケース１の貫通孔１２内に取り付けられている。
【００２０】
また、この円筒部材７の大径筒部７ｂにおける貫通孔１２内に位置する箇所の外周面には、図２に示すように、複数のパッキン溝１５が設けられており、この複数のパッキン溝１５には、防水パッキン１６がそれぞれ取り付けられている。この大径筒部７ｂにおける腕時計ケース１から外部に突出した箇所の外周面には、腕時計ケース１の外側面に当接する鍔部１７が設けられている。これにより、円筒部材７は、大径筒部７ｂの鍔部１７が腕時計ケース１の外面に当接し、小径筒部７ａの抜止めリング１４が腕時計ケース１の内面に当接することにより、腕時計ケース１に対する出没方向の動きが規制されている。
【００２１】
さらに、この円筒部材７の内部には、図２に示すように、小径筒部７ａに設けられた小径孔部１８と、大径筒部７ｂに設けられた大径孔部１９とが設けられている。この場合、小径孔部１８は、巻真６が挿入する部分であり、大径孔部１９は、後述する操作部材８の操作軸部２４が挿入する部分である。この大径孔部１９の内周面には、複数のパッキン溝２０が設けられており、この複数のパッキン溝２０には、防水パッキン１６がそれぞれ取り付けられている。
【００２２】
一方、操作部材８は、図２および図３に示すように、円筒部材７の鍔部１７の外径よりも少し大きい大径の円筒状に形成された操作頭部２３と、円筒部材７の大径孔部１９の内径よりも少し小さい小径の円筒状に形成された操作軸部２４とを備えている。操作頭部２３は、その内部が中空状に形成されている。
【００２３】
すなわち、この操作頭部２３の内部は、図２に示すように、その内径が円筒部材７の大径筒部７ｂの外径よりも大きい中空状に形成されていると共に、軸方向における内部の長さ（深さ）が、円筒部材７の大径筒部７ｂにおける腕時計ケース１から外部に突出した部分の長さ、つまり鍔部１７から外端部までの長さよりも少し短く形成されている。
【００２４】
また、この操作頭部２３の内面における中心部には、図２および図３に示すように、操作軸部２４が腕時計ケース１側に向けて突出して設けられている。この操作軸部２４は、円筒部材７の大径筒部７ｂに設けられた大径孔部１９内に挿入する部分であり、円筒部材７の大径筒部７ｂの大径孔部１９とほぼ同じ長さで形成されている。
【００２５】
これにより、操作軸部２４は、図２に示すように、円筒部材７の大径筒部７ｂが腕時計ケース１の貫通孔１２内に挿入された部分の長さだけ、円筒状の操作頭部２３から腕時計ケース１側に向けて突出するように形成されている。この操作軸部２４の内部には、操作頭部２３から突出する内端側の箇所に設けられた断面四角形状の角孔部２４ａと、この角孔部２４ａよりも操作頭部２３側に設けられて角孔部２４ａに連続し、且つこの角孔部２４ａの内面に内接する断面円形状の円形孔部２４ｂとが軸方向に沿って設けられている。
【００２６】
この場合、操作軸部２４の角孔部２４ａにおける腕時計ケース１の内部側に位置する内端部の内周面には、図２に示すように、リング取付溝２５が設けられている。このリング取付溝２５には、ストッパ用のガイドリング２６が取り付けられている。このガイドリング２６は、その中心に角孔部２４ａよりも少し小さい角孔を設けたものであり、この角孔の内端が角孔部２４ａ内に突出するように形成されている。
【００２７】
この操作軸部２４には、図２に示すように、巻真６の外側に位置する端部が取り付けられている。すなわち、巻真６は、円筒部材７の小径孔部１８を通過した先端部に設けられて操作軸部２４の角孔部２４ａ内、つまりガイドリング２６の角孔内に移動可能に挿入する角棒状の連動軸部６ａと、この連動軸部６ａの先端に設けられて操作軸部２４の円形孔部２４ｂ内に移動可能に挿入するガイド軸部６ｂとを備えている。
【００２８】
この場合、巻真６の連動軸部６ａにおける先端側に位置する端部の外周面には、図２、図６および図７に示すように、ストッパ部６ｃが外周側に向けて突出して設けられている。このストッパ部６ｃは、角孔部２４ａ内に突出したガイドリング２６の角孔の内縁部が当接することにより、操作部材８が腕時計ケース１の外部側に抜け出さないように構成されている。
【００２９】
また、巻真６のガイド軸部６ｂは、図２、図６および図７に示すように、円形孔部２４ｂの内径よりも十分に細く形成されている。このガイド軸部６ｂの外周面と円形孔部２４ｂの内周面との間には、コイルばね２７が配置されている。このコイルばね２７は、一端部が巻真６の連動軸部６ａの端面に弾接し、他端部が操作軸部２４の円形孔部２４ｂの奥部に弾接し、この状態で操作軸部２４を円筒部材７内から押し出す方向に向けて付勢するように構成されている。
【００３０】
これにより、操作部材８は、図２、図６および図７に示すように、コイルばね２７のばね力に抗して操作頭部２３を押し込むと、コイルばね２７が圧縮されて巻真６の連動軸部６ａが操作軸部２４の角孔部２４ａ内に相対的に押し込まれると共に、巻真６のガイド軸部６ｂが操作軸部２４の円形孔部２４ｂ内に相対的に押し込まれ、操作頭部２３が腕時計ケース１に接近するように構成されている。
【００３１】
また、この操作部材８は、図２、図６および図７に示すように、巻真６のガイド軸部６ｂが操作軸部２４の円形孔部２４ｂ内に相対的に押し込まれて、操作頭部２３が腕時計ケース１に接近した状態で、操作頭部２３から外力を取り除くと、コイルばね２７のばね力によって操作軸部２４が巻真６に対して押し出されて、操作頭部２３が腕時計ケース１から離れるように構成されている。
【００３２】
また、この操作部材８は、図２、図６および図７に示すように、操作頭部２３が押し込まれた状態においても、また操作頭部２３が押し出された状態においても、操作頭部２３を回転させると、この操作頭部２３と共に操作軸部２４が回転し、この回転が操作軸部２４の角孔部２４ａに挿入された巻真６の連動軸部６ａに伝達され、この連動軸部６ａによって巻真６を連動させて回転させるように構成されている。
【００３３】
ところで、腕時計ケース１のベゼル１１には、図２〜図７に示すように、ロック部材９が操作部材８の操作頭部２３に対応して設けられている。この場合、ベゼル１１には、ロック部材９が取り付けられるロック取付孔２８が上下に貫通して設けられている。このロック取付孔２８の上部には、このロック取付孔２８を塞ぐための押え板２９が取り付けられている。
【００３４】
ロック部材９は、図２〜図４に示すように、ベゼル１１のロック取付孔２８内に回転可能に取り付けられた回転軸部３０と、この回転軸部３０に設けられて操作部材８の操作頭部２３の外周面に環状に連続して設けられたロック溝３１に挿脱可能に挿入するフック部３２と、回転軸部３０に設けられてばね部材１０の付勢力によって操作部材８の操作頭部２３における所定個所に設けられた複数の解除溝３３のいずれかに挿脱可能に挿入する解除部３４とを有している。
【００３５】
すなわち、回転軸部３０は、図２および図４に示すように、操作部材８の軸方向に対して直交する方向に沿ってベゼル１１のロック取付孔２８内の取付部２８ａに設けられた支持軸３５と、この支持軸３５に回転可能に取り付けられた回転アーム部３６とを有している。この場合、支持軸３５は、ベゼル１１のロック取付孔２８内の下部に位置する取付部２８ａの対向面に設けられた一対の軸突起であり、回転アーム部３６の両側に設けられた軸穴３６ａにそれぞれ回転可能に挿入されるように構成されている。
【００３６】
回転アーム部３６は、図２および図４に示すように、角棒状に形成され、ベゼル１１のロック取付孔２８内の下部に位置した状態で、支持軸３５に上下方向に回転自在に取り付けられている。フック部３２は、回転アーム部３６の一端部、つまり腕時計ケース１の外部側に位置する一端部に、操作部材８の操作頭部２３の外周面に向けて突出した状態で一体に形成され、この突出した先端部が操作頭部２３のロック溝３１内に挿脱可能に挿入するように構成されている。
【００３７】
この場合、操作部材８の操作頭部２３の外周面には、図２および図３に示すように、フック部３２が挿脱可能に挿入するロック溝３１が環状に連続した状態で形成されている。これにより、フック部３２は、その先端部が操作頭部２３のロック溝３１内に挿入することにより、操作部材８の軸方向への移動を阻止して操作部材８をロックするように構成されている。
【００３８】
また、ロック部材９の解除部３４は、図２および図４に示すように、回転アーム部３６の他端部、つまり腕時計ケース１側に位置する他端部に、操作部材８の操作頭部２３に向けて突出した状態で一体に形成され、この突出した先端部が操作頭部２３の複数の解除溝３３のいずれかに挿脱可能に挿入するように構成されている。この解除部３４の下部は、図４に示すように、腕時計ケース１から離れるに従って次第に上昇する傾斜部３４ａに形成されている。
【００３９】
この場合、操作部材８の操作頭部２３の外周面には、図２および図３に示すように、複数（この実施形態では４個）の解除溝３３が所定間隔で設けられている。すなわち、複数の解除溝３３は、操作頭部２３の内端部における外周縁にその内端側および外周側に開放されて形成された切欠き凹部であり、操作頭部２３の外部側に位置する奥部に傾斜部３３ａが解除部３４の傾斜部３４ａに対応して形成されている。また、この解除溝３３は、操作頭部２３の内端部における外周縁にほぼ４５度の角度間隔で形成されている。
【００４０】
これにより、解除部３４は、図２に示すように、操作頭部２３の内側に位置する外周縁部に当接した状態のときに、回転軸部３０の支持軸３５を中心に回転アーム部３６を時計回りに回転させて、フック部３２を操作頭部２３のロック溝３１に挿入させて操作部材８をロックさせるように構成されている。
【００４１】
また、この解除部３４は、図６に示すように、操作頭部２３の複数の解除溝３３のいずれかに対応した際に、その対応した解除溝３３内に挿入することにより、回転軸部３０の支持軸３５を中心に回転アーム部３６を反時計回りに回転させて、フック部３２を操作頭部２３のロック溝３１内から離脱させることにより、操作部材８に対するフック部３２によるロックを解除するように構成されている。
【００４２】
また、ロック部材９は、図２および図６に示すように、ばね部材１０のばね力によって回転軸部３０の支持軸３５を中心に回転アーム部３６が反時計回りに回転して、解除部３４が操作頭部２３に押し付けられるように構成されている。すなわち、このばね部材１０は、コイルばねであり、その一端部（図２では下端部）が解除部３４の上面に弾接し、他端部（図２では上端部）がロック取付孔２８の上部に設けられた押え板２９の下面に弾接していることにより、解除部３４を操作頭部２３に押し付ける方向に付勢するように構成されている。
【００４３】
この場合、ばね部材１０は、図６および図７に示すように、解除部３４を操作部材８の操作頭部２３の内側の縁部に押し付けた状態で、操作頭部２３が回転して解除部３４が操作頭部２３の複数の解除溝３３のいずれかに対応した際に、そのばね力によって解除部３４をこれに対応した解除溝３３に押し込むことにより、操作頭部２３にクリック感を付与するように構成されている。
【００４４】
これにより、ロック部材９は、図２に示すように、ばね部材１０のばね力によって回転軸部３０の回転アーム部３６が支持軸３５を中心に反時計回りに回転する方向に付勢されていることにより、解除部３４が操作頭部２３の内側に位置する外周縁部に当接した状態のときに、支持軸３５を中心とする回転アーム部３６の反時計回り方向への回転を阻止することにより、フック部３２を操作頭部２３のロック溝３１に挿入させて操作部材８をロックするように構成されている。
【００４５】
また、このロック部材９は、図６に示すように、解除部３４が操作頭部２３の複数の解除溝３３のいずれかに対応した際に、その対応した解除溝３３内に解除部３４をばね部材１０のばね力によって挿入させ、支持軸３５を中心に回転軸部３０の回転アーム部３６を反時計回りに回転させて、フック部３２を操作頭部２３のロック溝３１内から離脱させることにより、操作部材８のロックを解除するように構成されている。
【００４６】
この場合、ベゼル１１と操作頭部２３との間には、図２および図５に示すように、操作部材８が軸方向に沿って移動する際に、操作頭部２３を回転させて、ロック部材９の解除部３４に対応している操作頭部２３の解除溝３３の位置をずらすための逃がしガイド部３７が設けられている。この逃がしガイド部３７は、操作頭部２３に対向するベゼル１１の下面に設けられたガイド突起３７ａと、操作頭部２３の外周面に設けられた複数の当接突起３７ｂとを備えている。
【００４７】
ガイド突起３７ａは、図２および図５に示すように、操作部材８の軸方向に対して傾斜した状態で細長く形成されている。すなわち、このガイド突起３７ａは、操作頭部２３の解除溝３３内の溝幅、つまり操作頭部２３の径方向における解除溝３３内の溝幅が操作部材８の軸方向に対する角度よりも少し大きい傾斜角度で傾斜するように構成されている。
【００４８】
また、複数の当接突起３７ｂは、図３に示すように、操作頭部２３に設けられた複数の解除溝３３にそれぞれ対応して設けられ、操作頭部２３の解除溝３３のいずれかがロック部材９の解除部３４に対応した状態で操作部材８が軸方向に沿って移動する際に、解除部３４に対応する当接突起３７ｂがガイド突起３７ａに当接してガイドされることにより、操作頭部２３を回転させて、解除部３４に対する解除溝３３の位置をずらすように構成されている。
【００４９】
また、操作部材８は、図２に示すように、クリック感付与部材３８によって操作部材８の回転操作に応じて予め定められた角度ごとにクリック感が付与されるように構成されている。すなわち、このクリック感付与部材３８は、操作頭部２３に設けられてその内面から円筒部材７に向けて出没可能に突出する弾性突起部３９と、円筒部材７の大径筒部７ｂの外周面に所定角度で設けられて弾性突起部３９が係脱可能に係合する複数の係合凹部３８ａとを備えている。
【００５０】
すなわち、弾性突起部３９は、操作頭部２３の内周面に設けられた凹部内に出没可能に配置された突起部３９ａと、この突起部３９ａを押し出す方向に付勢するばね部３９ｂとを有している。複数の係合凹部３８ａは、操作頭部２３に設けられた複数の解除溝３に対して位置がずれた状態、例えば複数の解除溝３３の径方向における中間部に位置する個所にそれぞれ設けられている。
【００５１】
これにより、クリック感付与部材３８は、図２および図３に示すように、ロック部材９の解除部３４が複数の解除溝３３のいずれにも対応せず、操作頭部２３の内側に位置する外周縁部に当接してロック部材９が操作部材８をロックしている状態のときに、弾性突起部３９が複数の係合凹部３８ａのいずれかに係合可能な状態になり、この状態で操作頭部２３が回転して弾性突起部３９が複数の係合凹部３８ａのいずれかに係合することにより、操作頭部２３にクリック感を付与して位置規制するように構成されている。
【００５２】
一方、操作部材８に連結された巻真６は、図２に示すように、腕時計ケース１内に設けられた時計モジュール４内に延出されて配置されている。この巻真６は、操作部材８の操作頭部２３が押し込まれて、ばね部材１０のばね力に抗してロック部材９のフック部３２が操作頭部２３のロック溝３１に挿入することにより、操作部材８がロックされた状態のときに、軸方向への移動が規制されてロックされるように構成されている。
【００５３】
また、この巻真６は、図６および図７に示すように、解除部３４が操作頭部２３の複数の解除溝３３のいずれかに対応して、支持軸３５を中心に回転軸部３０の回転アーム部３６が反時計回りに回転し、フック部３２が操作頭部２３のロック溝３１内から離脱して、操作部材８のロックが解除され、操作部材８の操作頭部２３がばね部材１０のばね力によって押し出された状態のときにも、押し込まれた状態を維持するように構成されている。
【００５４】
すなわち、この巻真６は、図６および図７に示すように、操作部材８の操作頭部２３がばね部材１０のばね力によって押し出される際に、コイルばね２７が操作軸部２４の円形孔部２４ｂ内で弾力的に伸びるだけで、操作頭部２３と共に引き出されることがなく、押し込まれた状態を維持し、時計モジュール４のスイッチが動作しないように構成されている。
【００５５】
さらに、この巻真６は、図７に示す状態で、操作部材８の操作頭部２３が更に引き出されると、図示しないが、操作頭部２３の引き出し操作に伴って引き出される方向に移動し、これにより通常の時計モードを時刻修正モードに切り替え、この状態で操作頭部２３を回転させると、その回転に伴って回転し、この回転に応じて時刻修正を行うように構成されている。
【００５６】
次に、このような腕時計のスイッチ装置５の作用について説明する。
このスイッチ装置５を使用する場合には、図２に示す状態で、操作部材８の操作頭部２３を回転させて、操作頭部２３の複数の解除溝３３のいずれかにロック部材９の解除部３４を対応させる。すると、ばね部材１０のばね力によってロック部材９の解除部３４がこれに対応する解除溝３３に押し込まれると共に、回転軸部３０の回転アーム部３６が支持軸３５を中心に反時計回り回転する。
【００５７】
すなわち、操作部材８の操作頭部２３を回転させる際には、ばね部材１０のばね力によって解除部３４が操作部材８の操作頭部２３の内側に位置する外周縁部に押し付けられた状態で、操作頭部２３が回転する。このため、解除部３４が操作頭部２３の複数の解除溝３３のいずれかに対応すると、ばね部材１０のばね力によって解除部３４がこれに対応する解除溝３３に押し込まれるので、操作頭部２３にクリック感が付与される。
【００５８】
このときには、回転軸部３０の回転アーム部３６が支持軸３５を中心に反時計回り回転するので、図６に示すように、回転アーム部３６の反時計回りの回転に伴って回転アーム部３６に設けられたフック部３２が操作頭部２３のロック溝３１から抜き出されて離脱し、操作部材８のロックが解除される。すると、図７に示すように、操作部材８が巻真６のコイルばね２７のばね力によって押し出される。
【００５９】
すなわち、ロック部材９のフック部３２が操作頭部２３のロック溝３１から抜き出されて離脱すると、図６に示すように、ばね部材１０のばね力によって解除部３４がこれに対応する解除溝３３に押し込まれていても、操作部材８が巻真６のコイルばね２７のばね力によって押し出されるため、解除部３４がこれに対応する解除溝３３内から相対的に操作部材８の軸方向に沿って移動して離脱する。これにより、図７に示すように、操作部材８のロックが解除され、操作部材８が巻真６のコイルばね２７のばね力によって押し出される。
【００６０】
このときには、巻真６のコイルばね２７が弾力的に伸びるだけで、巻真６は軸方向に移動しない。また、この状態で操作頭部２３を回転させて巻真６を回転させても、時計モジュール４のスイッチは動作しない。そして、操作頭部２３を更に引き出すと、巻真６が引き出される。このときには、巻真６の引き出し動作によって、時計モジュール４のスイッチが動作し、時計モードが通常の時計モードから時刻修正モードに切り替わる。この状態で、操作頭部２３を回転させると、その回転に伴って巻真６が回転し、この回転に応じて時刻修正が行われる。
【００６１】
一方、このスイッチ装置５を使用しない場合には、図７に示す状態で、操作部材８の操作頭部２３を巻真６のコイルばね２７のばね力に抗して押し込んで腕時計ケース１の外面に接近させる。このときに、ロック部材９の解除部３４が操作頭部２３の複数の解除溝３３のいずれにも対応していない場合には、操作頭部２３が押し込まれて腕時計ケース１の外面に接近すると、図２に示すように、解除部３４の傾斜部３４ａが操作頭部２３の内側に位置する外周縁部に当接する。
【００６２】
このときには、操作頭部２３の内側に位置する外周縁部が解除部３４の傾斜部３４ａに沿って移動しながら、解除部３４をばね部材１０のばね力に抗して徐々に押し上げる。このため、回転軸部３０の回転アーム部３６が支持軸３５を中心に時計回りに回転するので、回転アーム部３６のフック部３２が操作頭部２３のロック溝３１に挿入する。これにより、操作部材８が押し込まれた状態でロックされる。
【００６３】
ところで、操作部材８の操作頭部２３を巻真６のコイルばね２７のばね力に抗して押し込んで腕時計ケース１の外面に接近させる際に、ロック部材９の解除部３４が操作頭部２３の複数の解除溝３３のいずれかに対応している場合には、図５および図７に示すように、ベゼル１１と操作頭部２３との間に設けられた逃がしガイド部３７によって、操作頭部２３が自動的に回転して、ロック部材９の解除部３４に対する操作頭部２３の解除溝３３の位置がずれる。
【００６４】
すなわち、ロック部材９の解除部３４が操作頭部２３の複数の解除溝３３のいずれかに対応している状態で、操作部材８が軸方向に沿って移動する際には、図５に示すように、解除部３４に対応する当接突起３７ｂがガイド突起３７ａに当接してガイドされることにより、操作頭部２３が操作部材８の軸方向への移動に応じて回転する。これにより、解除部３４に対する解除溝３３の位置がずれるので、上述した場合と同様、回転アーム部３６のフック部３２が操作頭部２３のロック溝３１に挿入して、操作部材８が押し込まれた状態でロックされる。
【００６５】
このように、この腕時計のスイッチ装置５によれば、腕時計ケース１の貫通孔１２に挿入される操作軸部２４および外端部の操作頭部２３を有する操作部材８と、この操作部材８の軸方向への移動をロックするロック部材９と、このロック部材９によるロックを解除する方向に向けてロック部材９を付勢するばね部材１０とを備え、ロック部材９が、腕時計ケース１のベゼル１１に回転可能に取り付けられた回転軸部３０と、この回転軸部３０に設けられ、かつ操作部材８に環状に設けられたロック溝３１に挿脱可能に挿入するフック部３２と、回転軸部３０に設けられ、かつばね部材１０のばね力によって操作部材８の所定個所に設けられた複数の解除溝３３のいずれかに挿脱可能に挿入した際にフック部３２によるロックを解除する解除部３４と、を有しているので、ロック操作およびロック解除操作が容易にできる。
【００６６】
すなわち、このスイッチ装置５では、操作部材８を回転操作するだけで、ロック部材９の解除部３４を操作部材８の複数の解除溝３３のいずれかに対応させることができ、これにより解除部３４をこれに対応する解除溝３３にばね部材１０のばね力によって押し込むことができるので、ロック部材９のフック部３２を操作部材８のロック溝３１から簡単に離脱させて、ロック部材９によるロックを確実にかつ容易に解除することができる。
【００６７】
また、このスイッチ装置５では、操作部材８を押し込むだけで、ロック部材９の解除部３４をばね部材１０のばね力に抗して移動させることができるので、ロック部材９のフック部３２を操作部材８のロック溝３１に容易に挿入させて、簡単にかつ確実にロックすることができる。このため、このスイッチ装置５によれば、ロック操作およびロック解除操作が容易にかつ簡単にでき、操作性の向上を図ることができる。
【００６８】
この場合、このスイッチ装置５では、ロック部材９の回転軸部３０が、操作部材８の軸方向に対して直交する方向に設けられた支持軸３５と、この支持軸３５に回転可能に取り付けられた回転アーム部３６とを有し、フック部３２が回転アーム部３６の一端部に設けられて操作部材８の軸方向に対して直交する方向に沿って変位し、解除部３４が回転アーム部３６の他端部に設けられて操作部材８の軸方向に対して直交する方向に沿って変位することにより、操作部材８を回転操作するだけで、ロックを確実にかつ良好に解除することができ、また操作部材８を押し込むだけで、確実にかつ良好に操作部材８をロックすることができる。
【００６９】
すなわち、このスイッチ装置５では、操作部材８を回転操作させてロック部材９の解除部３４を操作部材８の複数の解除溝３３のいずれかに対応させると、ばね部材１０のばね力によって解除部３４が操作部材８の解除溝３３に押し込まれるので、回転軸部３０の回転アーム部３６が支持軸３５を中心に反時計回りに回転し、これによりロック部材９のフック部３２を操作部材８のロック溝３１内から確実に離脱させることができるので、操作部材８に対するロックを確実にかつ容易に解除することができる。
【００７０】
また、このスイッチ装置５では、操作部材８を押し込んでロック部材９の解除部３４が操作部材８の内側に位置する外周縁部に当接してばね部材１０のばね力に抗して押されて移動すると、回転軸部３０の回転アーム部３６が支持軸３５を中心に時計回りに回転し、これによりロック部材９のフック部３２を操作部材８のロック溝３１に確実に挿入させることができるので、フック部３２によって操作部材８を確実にかつ容易にロックすることができる。
【００７１】
また、このスイッチ装置５では、操作部材８の操作頭部２３を回転させる際に、ばね部材１０のばね力によって解除部３４が操作部材８の操作頭部２３の内側に位置する外周縁部に押し付けられた状態で、操作頭部２３が回転するので、解除部３４が操作頭部２３の複数の解除溝３３のいずれかに対応すると、ばね部材１０のばね力によって解除部３４をこれに対応する解除溝３３に押し込むことができ、このときに操作頭部２３にクリック感を付与することができ、これによりロックを解除する際の操作性を向上させることができる。
【００７２】
さらに、このスイッチ装置５では、操作部材８が軸方向に沿って移動する際に、操作頭部２３を回転させて、ロック部材９の解除部３４に対応している操作頭部２３の解除溝３３の位置をずらすための逃がしガイド部３７を備えているので、この逃がしガイド部３７によって、操作頭部２３を自動的に回転させて、ロック部材９の解除部３４に対する操作頭部２３の解除溝３３の位置を確実にかつ良好にずらすことができる。
【００７３】
この場合、逃がしガイド部３７は、操作頭部２３に対向するベゼル１１の下面に設けられて操作部材８の軸方向に対し傾斜したガイド突起３７ａと、操作頭部２３の外周面に複数の解除溝３３にそれぞれ対応して設けられた複数の当接突起３７ｂとを備えているので、ロック部材９の解除部３４が操作頭部２３の複数の解除溝３３のいずれかに対応しても、ロック部材９の解除部３４に対する操作頭部２３の解除溝３３の位置を確実にかつ良好にずらすことができる。
【００７４】
すなわち、このスイッチ装置５によれば、ロック部材９の解除部３４が操作頭部２３の複数の解除溝３３のいずれかに対応している状態で、操作部材８が軸方向に沿って移動する際に、解除部３４に対応する当接突起３７ｂがガイド突起３７ａに当接してガイドされることにより、操作頭部２３を操作部材８の軸方向への移動に応じて回転させることができる。これにより、解除部３４に対する解除溝３３の位置をずらすことができるので、ロック部材９のフック部３２を操作頭部２３のロック溝３１に挿入させて、操作部材８を押し込んだ状態で確実にロックすることができる。
【００７５】
さらに、このスイッチ装置５では、操作部材８の回転操作に応じて予め定められた角度ごとにクリック感を付与するクリック感付与部材３８を備えていることにより、操作頭部２３が予め定められた角度に回転するごとに、クリック感を付与することができると共に、操作頭部２３が勝手に回転しないように、操作頭部２３を位置規制することができる。
【００７６】
この場合、クリック感付与部材３８が操作頭部２３の複数の解除溝３３にロック部材９の解除部３４が対応していないときに、クリック感を付与して位置規制する構成であることにより、ロック部材９によって操作部材８をロックすることができるか否かをクリック感によって確認することができる。
【００７７】
すなわち、このクリック感付与部材３８は、操作頭部２３に設けられて、その内面から出没可能に突出する弾性突起部３９と、円筒部材７の大径筒部７ｂの外周面に複数の解除溝３に対して位置がずれた状態で所定角度ごとに設けられて、弾性突起部３９が係脱可能に係合する複数の係合凹部３８ａとを有していることにより、操作頭部２３が回転して弾性突起部３９が複数の係合凹部３８ａのいずれかに係合することにより、操作頭部２３にクリック感を付与することができると共に、操作頭部２３が勝手に回転しないように、操作頭部２３の回転位置を規制することができる。
【００７８】
なお、上述した第１実施形態では、ロック部材９のフック部３２を角棒状に形成し、操作頭部２３のロック溝３１をその内面が互いに平行な凹部状に形成した場合について述べたが、これに限らず、例えば図８に示す変形例のように、ロック部材９のフック部３２をその下部が幅広の角棒状に形成し、操作頭部２３のロック溝３１をその内面の下部が幅広の凹部状に形成しても良い。このように構成すれば、操作頭部２３を押し込んで操作部材８をロックする際に、第１実施形態よりも、確実にフック部３２をロック溝３１に挿入させて操作部材８を確実にロックすることができる。
【００７９】
（第２実施形態）
次に、図９〜図１１を参照して、この発明を腕時計に適用した第２実施形態について説明する。なお、図１〜図７に示された第１実施形態と同一部分には同一符号を付して説明する。
この腕時計は、図９および図１０に示すように、スイッチ装置４０のロック部材４１が第１実施形態と異なる構成であり、これ以外は第１実施形態とほぼ同じ構成になっている。
【００８０】
すなわち、このロック部材４１は、図９および図１０に示すように、回転軸部４２が操作部材８の軸方向に沿って回転可能に設けられ、フック部４３が回転軸部４２の一端部に操作頭部２３の外周に沿う方向に向けて突出して設けられ、かつ操作部材８の軸方向に対して直交する方向に沿って回転移動し、解除部４４が回転軸部４２の他端部にフック部４３と反対方向に向けて突出して設けられ、かつ操作部材８の軸方向に対して直交する方向に沿って回転移動するように構成されている。
【００８１】
この場合、回転軸部４２は、図９および図１０に示すように、丸棒状に形成され、操作部材８の操作軸部２４と平行な状態でベゼル１１のロック取付孔２８内の取付部２８ｂに回転自在に取り付けられている。フック部４３は、回転軸部４２の一端部、つまり腕時計ケース１の外部側に位置する外端部に回転軸部４２の軸方向に対して直交する方向に向けて突出して設けられている。
【００８２】
すなわち、このフック部４３は、図９および図１０に示すように、回転軸部４２の一端部から操作部材８の軸方向に対して直交する方向、つまり操作頭部２３の外周面に沿う方向に向けて突出し、この突出した先端部４３ａが回転軸部４２の回転に伴って上下方向に回転移動することにより、操作頭部２３のロック溝３１内に挿脱可能に挿入するように構成されている。この場合、フック部４３の先端部４３ａは、操作頭部２３のロック溝３１に沿って緩やかに折り曲げられている。
【００８３】
また、このロック部材４１の解除部４４は、図９および図１０に示すように、回転軸部４２の他端部、つまり腕時計ケース１側に位置する内端部に回転軸部４２の軸方向に対して直交する方向で、かつフック部４３と反対方向に向けて突出した状態で設けられている。すなわち、この解除部４４は、その先端部４４ａが操作頭部２３の内側に位置する外周面の縁部に弾接した状態で摺動し、操作頭部２３に設けられた複数の解除溝３３のいずれかに対応した際に、先端部４４ａがこれに対応した解除溝３３内に挿脱可能に挿入するように構成されている。
【００８４】
この場合、解除部４４の先端部４４ａは、図９および図１０に示すように、操作軸部２４とほぼ平行な状態になるように、緩やかに湾曲して折り曲げられている。これにより、解除部４４は、図１１に示すように、操作頭部２３に設けられた複数の解除溝３３のいずれかに対応して挿入した際に、回転軸部４２を回転させて、フック部４３を操作頭部２３のロック溝３１内から抜き出して離脱させるように構成されている。
【００８５】
また、この解除部４４は、図１１に示すように、操作頭部２３に設けられた複数の解除溝３３のいずれかに対応して挿入して、フック部４３を操作頭部２３のロック溝３１内から抜き出して離脱させた際に、巻真６のコイルばね２７のばね力によって操作部材８が腕時計ケース１の外部に向けて押し出されることにより、解除溝３３内から離脱するように構成されている。
【００８６】
さらに、このロック部材４１は、図９および図１０に示すように、ばね部材１０のばね力によって解除部４４の先端部４４ａが操作頭部２３の内側に位置する外周縁部に弾接するように付勢されている。すなわち、このばね部材１０は、解除部４４とロック取付孔２８の押え板２９との間に配置されている。
【００８７】
これにより、このばね部材１０は、図１１に示すように、解除部４４の先端部４４ａを操作頭部２３の内側に位置する外周縁部に弾接させる方向に回転軸部４２を回転させることにより、フック部４３を操作頭部２３のロック溝３１から離脱させる方向に向けて付勢するように構成されている。
【００８８】
次に、このような腕時計のスイッチ装置４０の作用について説明する。
このスイッチ装置４０を使用する場合には、図９に示す状態で、操作部材８の操作頭部２３を回転させて、操作頭部２３の複数の解除溝３３のいずれかにロック部材４１の解除部４４を対応させる。すると、ばね部材１０のばね力によってロック部材４１の解除部４４がこれに対応する解除溝３３に回転しながら押し込まれると共に、回転軸部４２が回転する。
【００８９】
すなわち、操作部材８の操作頭部２３を回転させる際には、ばね部材１０のばね力によって解除部４４が操作部材８の操作頭部２３の内側に位置する外周縁部に押し付けられた状態で、操作頭部２３が回転する。このため、解除部４４が操作頭部２３の複数の解除溝３３のいずれかに対応すると、ばね部材１０のばね力によって解除部４４がこれに対応する解除溝３３に回転しながら押し込まれるので、第１実施形態と同様、操作頭部２３にクリック感が付与される。
【００９０】
このときには、回転軸部４２が回転するので、図１１に示すように、回転軸部４２の回転に伴って回転軸部４２に設けられたフック部４３が操作頭部２３のロック溝３１内から回転移動しながら抜き出されて離脱し、操作部材８のロックが解除される。すると、第１実施形態と同様、操作部材８が巻真６のコイルばね２７のばね力によって押し出される。
【００９１】
すなわち、ロック部材４１のフック部４３が操作頭部２３のロック溝３１から抜き出されて離脱すると、図１１に示すように、ばね部材１０のばね力によって解除部４４がこれに対応する解除溝３３に押し込まれていても、操作部材８が巻真６のコイルばね２７のばね力によって押し出される際に、解除部４４がこれに対応する解除溝３３内から相対的に操作部材８の軸方向への移動に伴って離脱し、操作部材８のロックが解除される。これにより、第１実施形態と同様、操作部材８が巻真６のコイルばね２７のばね力によって押し出される。
【００９２】
このときには、第１実施形態と同様、巻真６のコイルばね２７が弾力的に伸びるだけで、巻真６は軸方向に移動しない。また、この状態で操作頭部２３を回転させて巻真６を回転させても、時計モジュール４のスイッチは動作しない。そして、操作頭部２３を更に引き出すと、巻真６が引き出される。このときには、巻真６の引き出し動作によって、時計モジュール４のスイッチが動作し、時計モードが通常の時計モードから時刻修正モードに切り替わる。この状態で、操作頭部２３を回転させると、その回転に伴って巻真６が回転し、この回転に応じて時刻修正が行われる。
【００９３】
一方、このスイッチ装置４０を使用しない場合には、図１１に示す状態で、操作部材８の操作頭部２３を巻真６のコイルばね２７のばね力に抗して押し込んで腕時計ケース１の外面に接近させる。このときに、ロック部材４１の解除部４４が操作頭部２３の複数の解除溝３３のいずれにも対応していない場合には、操作頭部２３が押し込まれて腕時計ケース１の外面に接近すると、図９に示すように、解除部４４の先端部４４ａが操作頭部２３の内側に位置する外周縁部に当接する。
【００９４】
このときには、操作頭部２３の内側に位置する外周縁部が解除部４４の先端部４４ａをばね部材１０のばね力に抗して徐々に回転移動させながら押し上げる。このため、回転軸部４２が回転するので、回転軸部４２のフック部４３が操作頭部２３に向けて回転移動しながら操作頭部２３のロック溝３１に挿入する。これにより、操作部材８が押し込まれた状態でロックされる。
【００９５】
ところで、操作部材８の操作頭部２３を巻真６のコイルばね２７のばね力に抗して押し込んで腕時計ケース１の外面に接近させる際に、ロック部材４１の解除部４４が操作頭部２３の複数の解除溝３３のいずれかに対応している場合には、図５に示した第１実施形態と同様、ベゼル１１と操作頭部２３との間に設けられた逃がしガイド部３７によって、操作頭部２３が自動的に回転して、ロック部材９の解除部４４に対する操作頭部２３の解除溝３３の位置がずれる。
【００９６】
すなわち、ロック部材９の解除部４４が操作頭部２３の複数の解除溝３３のいずれかに対応している状態で、操作部材８が軸方向に沿って移動する際には、解除部４４に対応する当接突起３７ｂがガイド突起３７ａに当接してガイドされることにより、操作頭部２３が操作部材８の軸方向への移動に応じて回転する。これにより、解除部４４に対する解除溝３３の位置がずれるので、上述した場合と同様、回転軸部４２のフック部４３が操作頭部２３のロック溝３１に挿入して、操作部材８が押し込まれた状態でロックされる。
【００９７】
このように、この腕時計のスイッチ装置４０によれば、第１実施形態と同様、操作部材８を回転操作するだけで、ロック部材４１の解除部４４を操作部材８の解除溝３３に対応させることができ、これにより解除部４４をばね部材１０のばね力によって解除溝３３に押し込むことができるので、ロック部材４１のフック部４３を操作部材８のロック溝３１から簡単に離脱させて、ロック部材４１によるロックを確実にかつ容易に解除することができる。
【００９８】
また、このスイッチ装置４０によれば、第１実施形態と同様、操作部材８を押し込むだけで、ロック部材４１の解除部４４をばね部材１０のばね力に抗して移動させることができるので、ロック部材４１のフック部４３を操作部材８のロック溝３１に容易に挿入させて、簡単にかつ確実に操作部材８をロックすることができる。このため、このスイッチ装置４０においても、ロック操作およびロック解除操作が容易にかつ簡単にでき、操作性の向上を図ることができる。
【００９９】
この場合、このスイッチ装置４０では、ロック部材４１の回転軸部４２が、操作部材８の軸方向に沿って回転可能に設けられ、フック部４３が回転軸部４２の一端部に操作頭部２３の外周に沿う方向に向けて突出して設けられ、かつ操作部材８の軸方向に対して直交する方向に沿って回転移動し、解除部４４が回転軸部４２の他端部にフック部４３と反対方向に向けて突出して設けられ、かつ操作部材８の軸方向に対して直交する方向に沿って回転移動することにより、操作部材８を回転操作するだけで、ロックを確実にかつ良好に解除することができ、また操作部材８を押し込むだけで、確実にかつ良好にロックすることができる。
【０１００】
すなわち、このスイッチ装置４０では、操作部材８を回転操作させてロック部材４１の解除部４４を操作部材８の解除溝３３に対応させると、ばね部材１０のばね力によって解除部４４が操作部材８の解除溝３３に回転しながら押し込まれるので、回転軸部４２が操作軸部２４に沿って回転し、これによりロック部材４１のフック部４３を操作部材８のロック溝３１内から回転移動させながら容易に離脱させることができるので、操作部材８に対するロックを簡単にかつ確実に解除することができる。
【０１０１】
また、このスイッチ装置４０では、操作部材８を押し込んでロック部材４１の解除部４４が操作部材８の内側の縁部に当接してばね部材１０のばね力に抗して押されて回転移動すると、回転軸部４２が操作軸部２４に沿って回転し、これによりロック部材４１のフック部４３を操作部材８のロック溝３１に回転移動させながら簡単に挿入させることができるので、フック部４３によって操作部材８を確実にかつ容易にロックすることができる。
【０１０２】
さらに、このスイッチ装置４０においても、操作部材８の操作頭部２３を回転させる際に、ばね部材１０のばね力によって解除部４４が操作部材８の操作頭部２３の内側に位置する外周縁部に押し付けられた状態で、操作頭部２３が回転するので、解除部４４が操作頭部２３の複数の解除溝３３のいずれかに対応すると、ばね部材１０のばね力によって解除部４４をこれに対応する解除溝３３に回転移動させながら押し込むことができ、このときに第１実施形態と同様、操作頭部２３にクリック感を付与することができ、これによってもロックを解除する際の操作性を向上させることができる。
【０１０３】
また、このスイッチ装置４０でも、操作部材８が軸方向に沿って移動する際に、操作頭部２３を回転させて、ロック部材４１の解除部４４に対する操作頭部２３の解除溝３３の位置をずらすための逃がしガイド部３７を備えているので、この逃がしガイド部３７によって、操作頭部２３を自動的に回転させて、ロック部材４１の解除部４４に対する操作頭部２３の解除溝３３の位置を確実にかつ良好にずらすことができる。
【０１０４】
この場合にも、逃がしガイド部３７は、第１実施形態と同様、操作頭部２３に対向するベゼル１１の下面に設けられて操作部材８の軸方向に対し傾斜したガイド突起３７ａと、操作頭部２３の外周面に複数の解除溝３３にそれぞれ対応して設けられた複数の当接突起３７ｂとを備えているので、ロック部材４１の解除部４４が操作頭部２３の複数の解除溝３３のいずれかに対応しても、ロック部材４１の解除部４４に対する操作頭部２３の解除溝３３の位置を確実にかつ良好にずらすことができる。
【０１０５】
すなわち、このスイッチ装置４０によれば、ロック部材４１の解除部４４が操作頭部２３の複数の解除溝３３のいずれかに対応している状態で、操作部材８が軸方向に沿って移動する際に、解除部４４に対応する当接突起３７ｂがガイド突起３７ａに当接してガイドされることにより、操作頭部２３を操作部材８の軸方向に沿って移動に応じて回転させることができる。これにより、解除部４４に対する解除溝３３の位置をずらすことができるので、回転軸部４２のフック部４３を操作頭部２３のロック溝３１に挿入させて、操作部材８を押し込んだ状態で確実にロックすることができる。
【０１０６】
なお、上述した第１、第２の各実施形態では、腕時計ケース１に設けられたベゼル１１における操作頭部２３の上方に位置する個所にロック取付孔２８を設け、このロック取付孔２８内にロック部材９、４１を設けた場合について述べたが、これに限らず、例えばベゼル１１における操作頭部２３の両側に位置する個所にロック取付孔２８をそれぞれ設け、この両側に位置する各ロック取付孔２８内にそれぞれロック部材９、４１を設けた構成であっても良い。
【０１０７】
また、上述した第１、第２の各実施形態では、ロック部材９、４１を腕時計ケース１のベゼル１１に設けられたロック取付孔２８内に設けた場合について述べたが、必ずしもベゼル１１に設ける必要はなく、例えば腕時計ケース１に直接ロック部材９、４１を設けた構成であっても良い。
【０１０８】
この場合には、腕時計ケース１の側部に操作部材８の操作頭部２３が挿入する頭部収納部を設け、この頭部収納部内にロック取付凹部を設け、このロック取付凹部内にロック部材９、４１を回転可能に取り付けるように構成すれば良い。また、必ずしも腕時計ケース１にロック部材９、４１を設ける必要はなく、例えば、裏蓋３にロック部材９、４１を設けた構成であっても良い。
【０１０９】
さらに、上述した第１、第２の各実施形態では、ロック部材９、４１の解除部３４、４４を付勢する付勢部材として、コイルばねなどのばね部材１０を用いた場合について述べたが、これに限らず、例えば板ばねなどのばね部材であっても良く、またゴムやエラストマなどの弾性部材を用いても良い。さらに、これらに限らず、付勢部材は、錘の重量によって解除部３４、４４を付勢して回転軸部３０、４２を回転させる構成のものであっても良い。
【０１１０】
なおまた、上述した第１、第２の各実施形態およびその各変形例では、腕時計に適用した場合について述べたが、必ずしも腕時計である必要はなく、例えばトラベルウオッチ、目覚まし時計、置き時計、掛け時計などの各種の時計に適用することができる。
【０１１１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１１２】
（付記）
請求項１に記載の発明は、貫通孔を有するケースと、このケースの前記貫通孔に挿入される軸部および外端部の操作部を有する操作部材と、この操作部材の軸方向への移動を阻止するために、前記操作部材をロックするロック部材と、このロック部材によりロックしている状態を、解除する方向に前記ロック部材を付勢する付勢部材とを備え、前記ロック部材は、前記ケースに対して回転可能に取り付けられた回転軸部と、この回転軸部に設けられ、かつ前記操作部材に環状に設けられたロック溝に挿入して前記操作部材の軸方向への移動を阻止するフック部と、前記回転軸部に設けられ、かつ前記操作部材の所定個所に設けられた解除溝に挿入した際に前記付勢部材の付勢力によって前記フック部によりロックしている状態を解除する解除部と、を有していることを特徴とするスイッチ装置である。
【０１１３】
請求項２に記載の発明は、請求項１に記載のスイッチ装置において、前記ロック部材の前記回転軸部は、前記操作部材の軸方向に対して直交する方向に設けられた支持軸と、この支持軸に回転可能に取り付けられた回転アーム部とを有し、前記フック部は前記回転アーム部の一端部に設けられて前記操作部材の軸方向に対して直交する方向に沿って変位し、前記解除部は前記回転アーム部の他端部に設けられて前記操作部材の軸方向に対して直交する方向に沿って変位することを特徴とするスイッチ装置である。
【０１１４】
請求項３に記載の発明は、請求項１に記載のスイッチ装置において、前記ロック部材の前記回転軸部は前記操作部材の軸方向に沿って回転可能に設けられ、前記フック部は前記回転軸部の一端部に前記操作部の外周に沿う方向に向けて突出して設けられ、かつ前記操作部材の軸方向に対して直交する方向に沿って回転移動し、前記解除部は前記回転軸部の他端部に前記フック部と反対方向に向けて突出して設けられ、かつ前記操作部材の軸方向に対して直交する方向に沿って回転移動することを特徴とするスイッチ装置である。
【０１１５】
請求項４に記載の発明は、請求項１〜請求項３のいずれかに記載のスイッチ装置において、前記操作部材が軸方向に沿って移動する際に、前記操作部を回転させて、前記ロック部材の前記解除部に対応している前記操作部材の前記解除溝の位置をずらすための逃がしガイド部を備えていることを特徴とするスイッチ装置である。
【０１１６】
請求項５に記載の発明は、請求項１〜請求項４のいずれかに記載のスイッチ装置において、前記操作部材の回転操作に応じて予め定められた角度ごとにクリック感を付与するクリック感付与部材を備えていることを特徴とするスイッチ装置である。
【０１１７】
請求項６に記載の発明は、請求項１〜請求項５のいずれかに記載のスイッチ装置を備えた時計である。
【０１１８】
請求項７に記載の発明は、ケースの貫通孔に挿入される軸部および外端部の操作部を有する操作部材の軸方向への移動を阻止するために、前記ケースに対して回転可能に取り付けられたロック部材のフック部によりロックしている状態から解除する方向に、付勢部材によって付勢された前記フック部を前記操作部材にロックさせるロック工程と、前記回転軸部に設けられた解除部が前記操作部材の所定個所に設けられた解除溝に、挿入した際に前記付勢部材の付勢力によって前記フック部によりロックしている状態を解除する解除工程と、を備えていることを特徴とするスイッチのロック解除方法である。
【符号の説明】
【０１１９】
１  腕時計ケース
４  時計モジュール
５、４０  スイッチ装置
６  巻真
７  円筒部材
８  操作部材
９、４１  ロック部材
１０  ばね部材
１１  ベゼル
１２  貫通孔
２３  操作頭部
２４  操作軸部
２７  コイルばね
２８  ロック取付孔
３０、４２  回転軸部
３１  ロック溝
３２、４３  フック部
３３  解除溝
３４、４４  解除部
３５  支持軸
３６  回転アーム部
３７  逃がしガイド部
３８  クリック感付与部材
【図１】
2014115218.tif 000003
【図２】
2014115218.tif 000004
【図３】
2014115218.tif 000005
【図４】
2014115218.tif 000006
【図５】
2014115218.tif 000007
【図６】
2014115218.tif 000008
【図７】
2014115218.tif 000009
【図８】
2014115218.tif 000010
【図９】
2014115218.tif 000011
【図１０】
2014115218.tif 000012
【図１１】
2014115218.tif 000013